(57)【要約】 【課題】  異なる種々の試料の粘着力の測定に際し、非常に安価にしかも簡単に選択して試料の粘着力を測定できる新規な粘着力測定装置を提供することを目的とする。【課題手段】  接触子３をオーリング形状に構成してあり、この接触子３の接触面を２軸方向とも円弧としたことを特徴とし、このオーリング形状の接触子３を接触子取付部材６に対し着脱自在に装着してあることを特徴とするものである。【選択図】  図１
2013019776.tif 000002
【特許請求の範囲】
【請求項１】
接触子をオーリング形状に構成してあり、この接触子の接触面を２軸方向とも円弧としたことを特徴とし、このオーリング形状の接触子を接触子取付部材に対し着脱自在に装着してあることを特徴とする粘着力測定装置。
【請求項２】
上記接触子が単一又は複数である上記請求項１に記載の粘着力測定装置。
【請求項３】
上記接触子に近接して、試料の表面温度を測定する放射温度計を設けてある上記請求項１または２に記載の粘着力測定装置。
【請求項４】
試料押当板に起立して接触子取付部材の取付軸に平行して起立部材を設け、この起立部材の上端に操作板を設け、粘着力測定装置のグリップおよび駆動モータを支持する基板と上記操作板との間に拡圧バネを設け、基板下部にスタートスイッチを設ける一方、接触子取付部材の取付軸にロードセルを設け、このロードセルに連結して雌ネジを設け、駆動モータの駆動軸に送りネジを設け、この送りネジを上記雌ネジに螺合し、グリップの押下げ操作によりスタートスイッチが自動的にＯＮ作動し、駆動モータを起動し、接触子を粘着試料に押圧し引き剥がして試験するようにした上記請求項１乃至３の何れかに記載の粘着力測定装置。
【発明の詳細な説明】
【技術分野】
【０００１】
本発明は、粘着性を有する材料、例えば未加硫ゴム物体或いは粘着テープその他の粘着性を有する材料の粘着力を、どこでも簡単に測定できる粘着力測定装置に関する。
【背景技術】
【０００２】
粘着力測定装置は、従来、大型のものが多く、粘着性を有する材料の粘着力を測定するためには、試料を粘着力測定装置が設置されている場所に持参する必要があるという不便があった。
この不便を考慮しどこでも粘着力の測定ができる携帯可能とした粘着力測定装置が開発され公知となっている（例えば特許文献１，２）。
【先行技術文献】
【特許文献】
【０００３】
【特許文献１】特開平６−２７３３１６号公報
【特許文献２】特開２００１−１５９５９８号公報
【発明の開示】
【発明が解決しようとする課題】
【０００４】
上記特許文献１の先行発明では、被測定物の表面に凹凸がある場合に効果的に作用するため、試料取り付け部材に設けた枢軸にタイコ型環状試料取り付け本体、即ち接触子を連結したものが開示されている。
次に、特許文献２の先行発明では、接触子に球形状又は半球形状をしたものが開示されている。
これら先行例では、何れも専用に製作してユーザーに提供する必要がある。ところが、試料の粘着力を測定するに際し、異なる種々の試料の粘着力を測定する場合があり、上記公知の発明では異なる種々の試料の粘着力の測定ができないという課題がある。
本発明は、上記課題に鑑み、異なる種々の試料の粘着力の測定に際し、非常に安価にしかも簡単に選択して試料の粘着力を測定できる新規な粘着力測定装置を提供することを目的とする。
【課題を解決するための手段】
【０００５】
そのために、本発明粘着力測定装置は、接触子をオーリング形状に構成してあり、この接触子の接触面を２軸方向とも円弧としたことを特徴とし、このオーリング形状の接触子を接触子取付部材に対し着脱自在に装着してあることを特徴とするものである。
【０００６】
上記接触子が単一又は複数であるとよい。
上記接触子に近接して、試料の表面温度を測定する放射温度計を設けてあるとよい。
試料押当板に起立して接触子取付部材の取付軸に平行して起立部材を設け、この起立部材の上端に操作板を設け、粘着力測定装置のグリップおよび駆動モータを支持する基板と上記操作板との間に拡圧バネを設け、基板下部にスタートスイッチを設ける一方、接触子取付部材の取付軸にロードセルを設け、このロードセルに連結して雌ネジを設け、駆動モータの駆動軸に送りネジを設け、この送りネジを上記雌ネジに螺合し、グリップの押下げ操作によりスタートスイッチが自動的にＯＮ作動し、駆動モータを起動し、接触子を粘着試料に押圧し引き剥がして試験するようにしたものである。
【発明の効果】
【０００７】
本発明粘着力測定装置は、接触子をオーリング形状に構成してあり、この接触子の接触面を２軸方向とも円弧状としたことを特徴とし、このオーリング形状の接触子を接触子取付部材に対し着脱自在に装着してあることを特徴とするから、試験片の表面に凹凸形状がある場合でも、この凹凸形状に上手に追従して、再現性のあるデータを得ることができる効果を有する。また、本発明粘着力測定装置は、特にオーリング形状の接触子を着脱自在にしてあるから、異なる種々の試料に簡単に対応でき、しかも安価に種々の試料を選択できる効果がある。
【０００８】
また、本発明粘着力測定装置は、上記接触子が単一又は複数であるから、試験対象となる試験片の状態が変ることによって、適正な接触子を選択できる効果がある。
さらに、本発明粘着力測定装置は、上記接触子に近接して、試料の表面温度を測定する放射温度計を設けてあるから、試験片がどのような温度条件下にあることかを明確にすることができる効果がある。
【０００９】
また、本発明粘着力測定装置は、試料押当板に起立して接触子取付部材の取付軸に平行して起立部材を設け、この起立部材の上端に操作板を設け、粘着力測定装置のグリップおよび駆動モータを支持する基板と上記操作板との間に拡圧バネを設け、基板下部にスタートスイッチを設ける一方、接触子取付部材の取付軸にロードセルを設け、このロードセルに連結して雌ネジを設け、駆動モータの駆動軸に送りネジを設け、この送りネジを上記雌ネジに螺合し、グリップの押下げ操作によりスタートスイッチが自動的にＯＮ作動し、駆動モータを起動し、接触子を粘着試料に押圧し引き剥がして試験するようにしたものであるから、試験開始のスイッチＯＮ操作を自動化することができた効果を有する。
【図面の簡単な説明】
【００１０】
【図１】本発明粘着力測定装置の概略的な正面図である。
【図２】本発明粘着力測定装置の複数の接触子の例を示す概略的な側面図である。
【図３】本発明粘着力測定装置の単数の接触子の例を示す概略的な側面図である。
【発明を実施するための形態】
【００１１】
図中１が本発明粘着力測定装置を把持するためのグリップで、本発明装置の基礎となる基板２上に備えてあり、この基板２上に該グリップ１と平行して、後述する粘着試料を押しつける接触子３の押しつけ又は引き剥がしを操作する駆動モータ４を設けてある。
接触子３はオーリング形状に構成してあり、この接触子３の粘着試料５への接触面を２軸方向にも円弧状としたものであり、円板状をした接触子取付部材６に着脱自在にしてある。
図２に接触子３を複数とした実施例が示してあり、図３に接触子３を単一のものとした実施例が示してあり、何れもその接触子３は２軸方向とも円弧状としてある。
【００１２】
上記駆動モータ４には基板２を貫通する駆動軸７を設けてあり、この駆動軸７に上記接触子３の押しつけ又は引き剥がしを操作する送りネジ８を設けてある。
上記接触子取付部材６は、倒立Ｌ字状をした取付板９に水平方向に突設した取付中心軸１０に軸支してあり、取付板９の水平板１１に垂直に起立した取付軸１２上に上記ロードセル１３を設けてある。
上記ロードセル１３に倒立Ｌ字状をした支持板１４を設けその水平部１５に雌ネジ１６を設け、この雌ネジ１６に上記送りネジ８を螺合してある。
【００１３】
粘着試料５上に載置して試料押当板１７を設けてあり、この試料押当板１７に上記接触子３が位置付けられる透孔１８を設けてあり、この試料押当板１７に上記接触子取付部材６の取付軸１２に平行して起立部材１９を起立して設けてある。この起立部材１９の上端に水平の操作板２０を設けてある。そしてこの操作板２０と上記基板２との間に拡圧バネ２１を設け、基板２にスタートスイッチ２２を、操作板２０の上昇によってスタートスイッチ２２がＯＮするように位置付けてある。そして起立部材１９に放射温度計２３を取り付けてある。
【００１４】
図１には接触子３が粘着試料５に接触している状態を示しているが、試験前の状況は拡圧バネ２１の拡圧弾力により基板２が図１の状況より上昇しており、接触子３が粘着試料より上方に離れており、スタートスイッチ２２もＯＦＦの状況にある。
そこでグリップ１を把持して基板２を押し下げると拡圧バネ２１が収縮し、起立部材１９の操作板２０がスタートスイッチ２２をＯＮ作動する。
このスタートスイッチ２２のＯＮ作動により駆動モータ４が作動し、送りネジ８により接触子３を押し下げて粘着試料３を押しつける。この接触子３の粘着試料５への接触圧力をロードセル１３で監視し、設定の押し圧になった時点で駆動モータ４の駆動を停止し、接触子３の粘着試料５に対する押しつけを停止する。
【００１５】
この停止状態を設定時間保持し、この間に放射温度計２３で粘着試料の温度を測定して、次に駆動モータ４を反転すると、粘着試料５が試料押当板に拡圧バネ２１の弾力で押えられており、接触子３が上昇し、粘着試料５から引き剥がされる。この際ロードセル１３が粘着試料と接触子３が離れる時間のピーク値を測定する。そしてその値を装置の表示器又は外部のパソコン又はプリンタに出力する。
【符号の説明】
【００１６】
１    グリップ
２    基板
３    接触子
４    駆動モータ
５    粘着試料
６    接触子取付部材
７    駆動軸
８    送りネジ
９    取付板
１０  取付中心軸
１１  水平板
１２  取付軸
１３  ロードセル
１４  支持板
１５  水平部
１６  雌ネジ
１７  試料押当板
１８  透孔
１９  起立部材
２０  操作板
２１  拡圧バネ
２２  スタートスイッチ
２３  放射温度計
【図１】
2013019776.tif 000003
【図２】
2013019776.tif 000004
【図３】
2013019776.tif 000005